【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
（ａ）ポリウレタンフォームコア層と、
（ｂ）前記ポリウレタンフォームコア層の少なくとも一方の側にある１つ以上の結合層であって、前記ポリウレタンフォームコア層に直接隣接して接触している結合層と、
（ｃ）前記結合層の一方の側にある、すなわち前記ポリウレタンフォームコア層に面している側と反対の側にある第１のＰＳＡフィルム、および前記ポリウレタンフォームコア層の前記第１のＰＳＡフィルムとは反対の側にある第２のＰＳＡフィルムと、
（ｄ）前記第１のＰＳＡフィルムの一方の側にある、すなわち前記ポリウレタンフォームコア層に面している側と反対の側にある剥離層であって、前記第１のＰＳＡフィルムに直接隣接して接触している剥離層と、を備える、多層構造を有するフォームテープ。
【請求項２】
前記テープが、前記ポリウレタンフォームコア層の互いに反対の側にある第１および第２の結合層を備えており、それぞれの結合層が、前記ポリウレタンフォームコア層に直接隣接して接触しており、かつ前記第２のＰＳＡフィルムが、前記第２の結合層の一方の側にある、すなわち前記ポリウレタンフォームコア層に面している側と反対の側にある、請求項１に記載のフォームテープ。
【請求項３】
前記第１のＰＳＡフィルムおよび前記第２のＰＳＡフィルムが、それぞれ、前記第１および第２の結合層に直接隣接して接触している、請求項２に記載のフォームテープ。
【請求項４】
剥離層が、前記第２のＰＳＡフィルムの一方の側に、すなわち前記ポリウレタンフォームコア層に面している側と反対の側に、前記第２のＰＳＡフィルムに直接隣接して接触して存在する、請求項１または２に記載のフォームテープ。
【請求項５】
前記剥離層は、前記フォームテープの製造中、両面であり、かつ最終製品では片面である、請求項１または２に記載のフォームテープ。
【請求項６】
前記ポリウレタンフォームコア層は、第１の側および反対の第２の側を有する圧縮可能な連続気泡ポリウレタンフォーム層であり、前記圧縮可能な連続気泡ポリウレタンフォーム層が、２０μｍ〜１０ｍｍの厚さを有する、請求項１または２に記載のフォームテープ。
【請求項７】
前記ポリウレタンフォームコア層が、０．０８〜０．８ｇ／ｃｍ３の密度、０．０００９８〜０．４９０ＭＰａ（０．０１〜５．０ｋｇｆ／ｃｍ２）の２５％圧縮力撓み、および１００〜５００％の延びによって特徴付けられる、請求項１または２に記載のフォームテープ。
【請求項８】
前記テープとステンレス鋼表面との間の引き剥がし強度が、ＦＩＮＡＴ  ＦＴＭ−１に準拠して、１１．６Ｎ／ｃｍ（３ｋｇｆ／インチ）より大きい、請求項１または２に記載のフォームテープ。
【請求項９】
前記ポリウレタンフォームコア層が、メチレンジフェニルイソシアネート（ＭＤＩ）、トルエンジイソシアネート（ＴＤＩ）、メチレンジフェニルイソシアネート（ＭＤＩ）オリゴマー、トルエンジイソシアネート（ＴＤＩ）オリゴマー、ヘキサメチレンジイソシアネート（ＨＤＩ）、イソホロンジイソシアネート（ＩＰＤＩ）、水素化ＭＤＩ（ＨＭＤＩ）およびカルボジイミド修飾メチレンジイソシアネートからなる群から選択される１種以上のジイソシアネートと、ポリプロピレングリコール、ポリテトラメチレングリコールおよびポリエチレングリコールからなる群から選択される１つ以上のポリオール混合物との間の反応により調製される、請求項１または２に記載のフォームテープ。
【請求項１０】
前記１つの結合層または複数の結合層が、２〜５０マイクロメートルの厚さを有するポリマーフィルムである、請求項１または２に記載のフォームテープ。
【請求項１１】
前記１つの結合層または複数の結合層の組成物が、発泡されておらず、かつ、溶媒含有ポリウレタン熱可塑性プラスチックをコーティングして硬化することにより作製される、請求項１または２に記載のフォームテープ。
【請求項１２】
前記１つの結合層または複数の結合層がそれぞれ、押出成形された多層ラミネートを備える、請求項１または２に記載のフォームテープ。
【請求項１３】
前記第１のＰＳＡフィルムおよび前記第２のＰＳＡフィルムの組成が同一であるか、または異なる粘着強度を得るために、異なる組成である、請求項１または２に記載のフォームテープ。
【請求項１４】
前記第１のＰＳＡフィルムおよび前記第２のＰＳＡフィルムの組成は独立に、アクリル、ポリウレタン、シリコーンおよびそれらの組合せからなる群から選択されるポリマーを含む、請求項１または２に記載のフォームテープ。
【請求項１５】
前記剥離層が、前記第１のＰＳＡフィルムに面して、剥離コーティング、中間層およびライナーを備える、請求項１または２に記載のフォームテープ。
【請求項１６】
前記第１のＰＳＡフィルム上に配置されている前記剥離層が、第１の剥離コーティング、第１の中間サブ層、第１のライナー、第２の中間サブ層、および第２の剥離コーティングを備える、請求項１または２に記載のフォームテープ。
【請求項１７】
前記剥離層が、シリコーンポリマーを含む剥離コーティングを備える、請求項１または２に記載のフォームテープ。
【請求項１８】
前記フォームテープの一方の側だけに剥離層を有しており、かつ個々のフォームテープ品を複数、作製するのに後で使用するため、巻き上げられているシートの形態にある、請求項１または２に記載のフォームテープ。
【請求項１９】
５０μｍ〜１０ｍｍの厚さの全厚さを有する、請求項１または２に記載のフォームテープ。
【請求項２０】
（ａ）ポリウレタンフォームコア層と、
（ｂ）前記ポリウレタンフォームコア層の互いに反対の側にある第１の結合層および第２の結合層であって、それぞれの結合層が前記ポリウレタンフォームコア層に直接隣接して接触している第１の結合層および第２の結合層と、
（ｃ）前記第１の結合層の一方の側にある、すなわち前記ポリウレタンフォームコア層に面している側と反対の側にある第１のＰＳＡフィルム、および前記第２の結合層の一方の側にある、すなわち前記ポリウレタンフォームコア層に面している側と反対の側にある第２のＰＳＡフィルムと、
（ｄ）前記第１のＰＳＡフィルムの一方の側にある、すなわち前記ポリウレタンフォームコア層に面している側と反対の側にある両面剥離ライナーであって、前記第１のＰＳＡフィルムに直接隣接して接触している両面剥離ライナーと、を備える、多層構造を有するフォームテープ。
【請求項２１】
前記第１の結合層および前記第２の結合層がそれぞれ、非発泡ポリウレタンを備え、かつ一方の側で前記ポリウレタンフォームコア層に直接隣接して接触しており、かつ反対の側で、前記第１のＰＳＡフィルムおよび前記第２のＰＳＡフィルムにそれぞれ直接隣接して接触している、請求項２０に記載のフォームテープ。
【請求項２２】
（ａ）１００〜２５０μｍの厚さを有するポリウレタンフォームコア層と、
（ｂ）前記ポリウレタンフォームコア層の互いに反対の側にあり、それぞれが１〜５０μｍの厚さを有する、第１の非発泡ポリウレタン結合層および第２の非発泡ポリウレタン結合層であって、それぞれの非発泡ポリウレタン結合層が前記ポリウレタンフォームコア層に直接隣接して接触している第１の非発泡ポリウレタン結合層および第２の非発泡ポリウレタン結合層と、
（ｃ）前記第１の非発泡ポリウレタン結合層の一方の側にある、すなわち前記ポリウレタンフォームコア層に面している側と反対の側にある第１のＰＳＡフィルム、および前記第２の非発泡ポリウレタン結合層の一方の側にある、すなわち前記ポリウレタンフォームコア層に面している側と反対の側にある第２のＰＳＡフィルムと、
（ｄ）前記第１のＰＳＡフィルムの一方の側にある、すなわち前記ポリウレタンフォームコア層に面している側と反対の側にある両面剥離ライナーであって、前記第１のＰＳＡフィルムに直接隣接して接触している両面剥離ライナーと、を備えた、多層構造を有するフォームテープ。
【請求項２３】
前記第１の非発泡ポリウレタン結合層および前記第２の非発泡ポリウレタン結合層が、同一の組成および厚さを有する、請求項２２に記載のフォームテープ。
【請求項２４】
（ａ）ポリウレタンフォームコア層と、
（ｂ）前記ポリウレタンフォームコア層の少なくとも一方の側にある非発泡ポリウレタン結合層、および前記ポリウレタンフォームコア層の他方の側にあるポリエステル層であって、前記非発泡ポリウレタン結合層および前記ポリエステル層がそれぞれ前記ポリウレタンフォームコア層に直接隣接して接触している非発泡ポリウレタン結合層およびポリエステル層と、
（ｃ）前記非発泡ポリウレタン結合層の一方の側にある第１のＰＳＡフィルムであって、前記非発泡ポリウレタン結合層の前記ポリウレタンフォームコア層に面している側と反対にある側に直接隣接して接触している第１のＰＳＡフィルム、および前記ポリエステル層の一方の側にある第２のＰＳＡフィルムであって、前記ポリエステル層の前記ポリウレタンフォームコア層に面している側と反対にある側に直接隣接して接触している第２のＰＳＡフィルムと、
（ｄ）前記第１のＰＳＡフィルムの一方の側にある、すなわち前記ポリウレタンフォームコア層に面している側と反対の側にある剥離層であって、前記第１のＰＳＡフィルムに直接隣接して接触している剥離層と、を備えた、多層構造を有するフォームテープ。
【請求項２５】
（ａ）第１の剥離層に結合層を付けて、中間製品Ａである支持結合層を形成する工程、
（ｂ）第２の剥離層上にＰＳＡ組成物をコーティングして乾燥し、中間製品Ｂである支持ＰＳＡコーティングを形成する工程、
（ｃ）中間製品Ａに対して中間製品Ｂをラミネートし、これにより、前記結合層上の前記剥離層を除去した後、剥離ライナー、ＰＳＡフィルムおよび結合層を順に備えた中間製品Ｃを形成する工程、ならびに
（ｄ）１つ以上の中間製品Ｃ上にポリウレタンフォーム前駆組成物をコーティングし、前記ポリウレタンフォーム前駆組成物を硬化し、ポリウレタンフォームコア層を形成する工程、を備えた、フォームテープを作製するプロセス。
【請求項２６】
ＰＳＡ層が前記ポリウレタンフォームコア層の他方の側にラミネートされるか、またはコーティングされる、請求項２５に記載のプロセス。
【請求項２７】
（ａ）第１の剥離層に結合層を付けて、中間製品Ａである支持結合層を形成する工程、
（ｂ）第２の剥離層上にＰＳＡ組成物をコーティングして乾燥し、中間製品Ｂである支持ＰＳＡコーティングを形成する工程、
（ｃ）中間製品Ａに対して中間製品Ｂをラミネートし、これにより、前記結合層上の前記剥離層を除去した後に剥離ライナー、ＰＳＡフィルムおよび結合層を順に備えた中間製品Ｃを形成する工程、ならびに
（ｄ）第１の中間製品Ｃと第２の中間製品Ｃとの間にポリウレタンフォーム前駆組成物をコーティングし、前記ポリウレタンフォーム前駆組成物を硬化して第１の中間製品Ｃと第２の中間製品Ｃとの間にポリウレタンフォームコア層を形成し、これにより、前記ポリウレタンフォームコア層の両側に剥離層を有する両面フォームテープを備えた製品を形成する工程であって、場合により、前記剥離層の１つを除去する工程、を備えた、フォームテープを作製するプロセス。
【請求項２８】
前記剥離ライナーの１つを除去した後に、前記フォームテープがロールに巻かれる、請求項２７に記載のプロセス。
【請求項２９】
（ｂ）および（ｃ）が、同じインラインプロセスで、または互いに３時間以内に実施される、請求項２７に記載のプロセス。
【請求項３０】
前記結合層を剥離ライナー上に備えた中間製品Ａが調製され、中間製品Ｃの作製に使用される前にロールで保管される、請求項２７に記載のプロセス。
【請求項３１】
（ａ）における前記結合層が非発泡ポリウレタンを含み、３〜２０μｍの厚さを有する、請求項２７に記載のプロセス。
【請求項３２】
前記第１の中間製品Ｃおよび前記第２の中間製品Ｃの両方における前記結合層の組成が、同一であるか、または実質的に同一であり、組成および／もしくは厚さが１０重量％以下しか異ならない、請求項２７に記載のプロセス。
【請求項３３】
中間製品Ｃは、後の使用のために、前記剥離ライナーの１つを除去してからロールに巻き上げられる、請求項２７に記載のプロセス。
【請求項３４】
前記両面フォームテープの作製において、第１の中間製品Ｃおよび第２の中間製品Ｃのそれぞれが、前記第１の中間製品Ｃと前記第２の中間製品Ｃとの間にポリウレタンフォーム前駆組成物をディスペンスするためのユニットに対して巻き上げロールから同時に供給され、この後に、前記ポリウレタンフォーム前駆組成物が発泡されて硬化され、これにより、第１の中間製品Ｃと第２の中間製品Ｃとの間にサンドイッチされたポリウレタンフォームコア層を連続的に形成する、請求項２７に記載のプロセス。
【請求項３５】
電子デバイスに衝撃吸収および密封用保護シートを付ける方法であって、前記保護シートが、請求項１に記載のフォームテープによって前記電子デバイスの表面に対して粘着される、方法。
【請求項３６】
前記保護シートが、ポリウレタンまたはシリコーンを含む弾性材料を備える、請求項３５に記載の方法。
【請求項３７】
前記電子デバイスは、セル式電話もしくはその部品、コンピュータもしくはその部品、液晶ディスプレイデバイス、または他のポータブルでないもしくはポータブルである電子デバイスである、請求項３５に記載の方法。
【請求項３８】
請求項１によるフォームテープが粘着によって保護シートの表面を電子デバイスまたはその部品の表面につなぎ合わせる、組立体を備えた物品。
【請求項３９】
前記電子デバイスが、セル式電話もしくはその部品、コンピュータもしくはその部品、液晶ディスプレイデバイスもしくはその部品、またはポータブル電子デバイスである、請求項３８に記載の物品。
【手続補正２】
【補正対象書類名】明細書
【補正対象項目名】００１４
【補正方法】変更
【補正の内容】
【００１４】
フォームテープは、第２のＰＳＡフィルムの一方の側にある（すなわちポリウレタンフォームコア層に面している側と反対の側にある）第２の剥離層であって、第２のＰＳＡフィルムに直接隣接して接触している第２の剥離層をさらに備えることが可能である。「剥離層」とは、剥離コーティングを備えた任意の単一層または複合層を意味し、場合により、剥離ライナーを含む１つまたは複数の追加のサブ層によって支持されている。両面剥離層は、１つまたは複数の追加のサブ層によって分離されている２つの外側剥離コーティングを備えた複合層である。一実施形態では、フォームテープは、第１のＰＳＡフィルムに隣接している両面剥離層を備える。
【手続補正３】
【補正対象書類名】明細書
【補正対象項目名】００３１
【補正方法】変更
【補正の内容】
【００３１】
こうしたフォームテープは、ＦＩＮＡＴ  ＦＴＭ−１標準手順に準拠して、ステンレス鋼基材の場合、テープと基材との間の剥離強度が１１．６Ｎ／ｃｍ（３ｋｇｆ／インチ）より大きいこと、特に、３８．７Ｎ／ｃｍ（１０ｋｇｆ／インチ）未満であることによって特徴付けられる。一実施形態では、第１および第２の非発泡結合層は、本質的に同一の組成および厚さを有する。
【手続補正４】
【補正対象書類名】明細書
【補正対象項目名】００５８
【補正方法】変更
【補正の内容】
【００５８】
２．５４センチメートル（１インチ）幅の試料に裁断した後、引き剥がし試験器（アイマス・インコーポレーテッド（Ｉｍａｓｓ  Ｉｎｃ．）のモデルＳＰ−２０００）を使用して、フォームテープが試験された。このテープは、２ｋｇのハンドローラによって、新しく調製された基材に対して取り付けられた。このテープの粘着強度は、３００ｍｍ／分の速度でこのテープを引っ張ることにより測定された。具体的には、粘着強度は、ＦＩＮＡＴ  ＦＴＭ−１標準試験手順に準拠して、測定された。